(57)【要約】【課題】信頼性や品質に優れた生産性の良い電子部品内蔵多層プリント基板及びその製造方法を提供する。【解決手段】電子部品内蔵多層プリント基板１００において、配線パターン７を備えてその一面側に電子部品２を実装した絶縁シート１上に、電子部品２を埋め込むように絶縁層６を形成した電子部品内蔵配線基体１０Ａ，１０Ｂ，１０Ｃを２層以上積層し、積層される下側の電子部品内蔵配線基体１０Ａは、配線パターン７の絶縁層６側に電子部品２と共に金属柱３を立設実装してなり、積層する上側の電子部品内蔵配線基体１０Ｂの積層する面において、下側の金属柱３の端面３ａと上側の電子部品内蔵配線基体１０Ｂの配線パターン７とを、層間の電気的接続が得られるように接合して電子部品内蔵配線基体１０Ａ，１０Ｂ，１０Ｃを積層した。【選択図】　　　図１
2004031476.tif 000002
【特許請求の範囲】
【請求項１】
配線パターンを表面又は内部に備えた絶縁シートを用い、前記配線パターンの一面側に電子部品を実装し、前記電子部品を埋め込むように前記絶縁シート上に絶縁層を形成してなる電子部品内蔵配線基体を、２層以上積層した積層配線基体を含んで多層構造にした電子部品内蔵多層プリント基板において、
少なくとも、積層される下側の前記電子部品内蔵配線基体は、前記配線パターンの前記絶縁層側に前記電子部品と共に金属柱を立設実装してなり、積層する上側の前記電子部品内蔵配線基体の前記絶縁層と反対側の面において、前記下側の電子部品内蔵配線基体の前記金属柱の端面と前記上側の電子部品内蔵配線基体の前記配線パターンとを、層間の電気的接続が得られるように接合して積層する構成にしたことを特徴とする電子部品内蔵多層プリント基板。
【請求項２】
請求項１記載の上側及び下側の電子部品内蔵配線基体の内、少なくとも下側の電子部品内蔵配線基体を作成する工程と、
前記下側の電子部品内蔵配線基体と前記上側の電子部品内蔵配線基体とを、間に接着剤を挟んで両外側から加圧し、前記下側の電子部品内蔵配線基体の金属柱端面と前記上側の電子部品内蔵配線基体の配線パターンとを、層間の電気的接続が得られるように接合して多層に積層する工程とを含んでなることを特徴とする電子部品内蔵多層プリント基板の製造方法。
【発明の詳細な説明】
【０００１】
【発明の属する技術分野】
本発明は、例えば半導体集積回路装置，抵抗，コンデンサ等のチップ形電子部品を内蔵した電子部品内蔵多層プリント基板及びその製造方法に係り、特にその積層構造及び積層方法に関する。
【０００２】
【従来の技術】
近年の携帯端末装置の小型化及び高機能化により、その装置に搭載する基板には、より小さく、より高密度に電子部品を実装することが要求されている。
この要求に対して、単に基板面積を小さくして高密度実装する方法で応えるには限界があり、従来、プリント基板を平面構造から立体構造にする手法が展開されてきたが、更なる高密度化のために電子部品をプリント基板に内蔵しつつ立体構造化する技術が開発され製品に採用されている。
【０００３】
この電子部品を内蔵する基板の作製方法の例として以下の方法がある。
すなわち、
（イ）プリント基板を構成する任意の層の一部にざぐりを設け、そのざぐり部に電子部品を収納する方法、
（ロ）プリント基板上に各種電子部品を実装した後、熱硬化型エポキシ系インクを例えばスクリーン印刷で基板全面に印刷して層を形成し、その層内に電子部品を埋め込む方法、
（ハ）プリント基板上に各種電子部品を実装した後、その電子部品を収納する部分を開孔したプリプレグをプリント基板に圧着して内蔵する方法、である。
【０００４】
【発明が解決しようとする課題】
ところが、（イ）の方法においては、ざぐりを設けるためにドリル等でプリント基板を加工する必要がありその分工程が増加し、この加工によるストレスがプリント基板に加わって基板の強度に影響を与え、外部からの衝撃や振動で基板や配線が損傷する等、信頼性や品質が低下するという問題があった。
【０００５】
（ロ）及び（ハ）の方法においては、複数層に積層する場合に、各層毎に電子部品の実装をレジスト等で保護されていない半製品状態のプリント基板上に行う必要があり、基板表面に傷や汚れ等の損傷を与え易く歩留まりが低下するという問題があった。
また、後工程の層形成で不良が発生すると、せっかく積層してきたそれまでの工程が全て無駄になり、生産性が極めて悪いという問題があった。
そこで本発明が解決しようとする課題は、信頼性や品質に優れた生産性の良い電子部品内蔵多層プリント基板及びその製造方法を提供することにある。
【０００６】
【課題を解決するための手段】
上記の課題を解決するために、本願発明は手段として次の構成を有する。
即ち、請求項１は、配線パターン７を表面又は内部に備えた絶縁シート１を用い、前記配線パターン７の一面側に電子部品２を実装し、前記電子部品２を埋め込むように前記絶縁シート１上に絶縁層６を形成してなる電子部品内蔵配線基体１０Ａ，１０Ｂ，１０Ｃを、２層以上積層した積層配線基体を含んで多層構造にした電子部品内蔵多層プリント基板１００において、
少なくとも、積層される下側の前記電子部品内蔵配線基体１０Ａ，１０Ｂは、前記配線パターン７の前記絶縁層６側に前記電子部品２と共に金属柱３を立設実装してなり、積層する上側の前記電子部品内蔵配線基体１０Ｂ，１０Ｃの前記絶縁層６側と反対側の面において、前記下側の電子部品内蔵配線基体１０Ａ，１０Ｂの前記金属柱３の端面３ａと前記上側の電子部品内蔵配線基体１０Ｂ，１０Ｃの前記配線パターン７とを、層間の電気的接続が得られるように接合して積層する構成にしたことを特徴とする電子部品内蔵多層プリント基板であり、
請求項２は、請求項１記載の上側及び下側の電子部品内蔵配線基体１０Ａ，１０Ｂ，１０Ｃの内、少なくとも下側の電子部品内蔵配線基体１０Ａ，１０Ｂを作成する工程と、前記下側の電子部品内蔵配線基体１０Ａ，１０Ｂと前記上側の電子部品内蔵配線基体１０Ｂ，１０Ｃとを、間に接着剤５，５Ａを挟んで両外側から加圧し、前記下側の電子部品内蔵配線基体１０Ａ，１０Ｂの金属柱端面３ａと前記上側の電子部品内蔵配線基体１０Ｂ，１０Ｃの配線パターン７とを、層間の電気的接続が得られるように接合して多層に積層する工程とを含んでなることを特徴とする電子部品内蔵多層プリント基板１００の製造方法である。
【０００７】
【発明の実施の形態】
本発明の実施の形態を、好ましい実施例により図１乃至図６を用いて説明する。
図１は、本発明の電子部品内蔵多層プリント基板の実施例における構造を示す概略斜視図であり、
図２は、本発明の電子部品内蔵多層プリント基板の実施例を示す側面図及び断面図であり、
図３は、本発明の電子部品内蔵多層プリント基板の実施例における製造工程を説明する斜視図及び断面図であり、
図４は、本発明の電子部品内蔵多層プリント基板の実施例における製造工程を説明する斜視図であり、
図５は、本発明の電子部品内蔵多層プリント基板のその他の実施例における構造を説明する概略斜視図であり、
図６は、本発明の電子部品内蔵多層プリント基板のその他の実施例を示す側面図である。
【０００８】
本発明の特徴は、電子部品を内蔵した各層を順次積層して多層形成するのではなく、電子部品を内蔵した各層をそれぞれ独立して製作した後に積層して多層のプリント基板を形成し、各層の電気接続を各層に実装した金属柱を介して行うことにある。以下、実装とは電気的接続の意味を含むものである。
概略の工程は、（１）単層作成工程、（２）積層工程、（３）表面処理工程であり、以下のその工程に沿って順次詳述する。
【０００９】
（１）単層製造工程（図３（ａ），図３（ｂ）及び図４参照）
まず、図３（ａ），図３（ｂ）を用いて説明する。
電子部品（例えば、半導体集積回路装置，抵抗，コンデンサ等のチップ形電子部品）を内蔵する単層基体のベースとして、銅等の導電体によりパターン化された電気配線パターン７を内蔵したシート１を使用する。
このシート１は、例えば、接着剤付きの絶縁性フィルム１ａ，１ｂの間に導電体の配線パターン７を挟んで圧着したいわゆるＦＰＣ（フレキシブルフラットケーブル）シートである。
絶縁性フィルム１ａ，１ｂとしてポリエチレンテレフタレート（ＰＥＴ）やポリイミド（ＰＩ）を用いることができる。
【００１０】
このシート１の一面１Ａ（図３（ａ）の上面）の、電子部品２と、各層間の電気的接続をするための金属柱３とを実装する所望の位置には、あらかじめ絶縁性フィルム１ａを必要な形状に開口して配線パターン７上にパッド７ａを設けてある。
そのパッド７ａと各電子部品２と金属柱３とが、導電性接着剤又はリフローによるはんだ接合により電気的に接続される。図３（ｂ）は、この電気的に接続された状態を示す図３（ａ）のＡ−Ａ断面図である。
【００１１】
一方、シート１の他方の面１Ｂ（図３（ａ）におけるシート１の下側面）については、後述するように、この下側に配置する層の金属柱３と電気的接続をする部分に、あらかじめ絶縁性フィルム１ｂを必要な形状に開口して配線パターン７上にパッド７ｂを設けてある。
金属柱３は、銅等の導電性を有する金属材料を用い、層の所定の厚さｈに対応した高さｈの円柱状に形成される。もちろん角柱状でもよい。
【００１２】
そして、電子部品２及び金属柱３を実装したシート１上に、熱硬化型絶縁性インク４がカーテン印刷法あるいはスクリーン印刷法により金属柱３の高さに対応した厚さｈにて塗布される。
その後、炉等によりインク４を加熱硬化させ、電子部品２と金属柱３を埋め込んで内蔵した厚さｈの絶縁層６を有する単層の電子部品内蔵配線基体１０を得る（図４参照）。
そして、絶縁層６の形成時に金属柱３の端面３ａに付着した熱硬化型絶縁性インク４をバフ研磨あるいは表面粗化処理により除去して端面３ａの表面を露出し、次工程である積層工程において電気的接続を可能にする。
絶縁層６を形成する熱硬化型絶縁性インク４として、太陽インキ製造株式会社製のビルドアップ基板用熱硬化型層間絶縁材料ＨＲＰ−７００ＢＡ／ＰＡ−７０ＢＡ（２液性）を使用することができる。
【００１３】
以上説明した工程と同様の工程で、所望の配線パターン７を内蔵したシート１上に所望の電子部品２と金属柱３とを実装し、これらを埋め込むように絶縁層６を形成して所望の単層の電子部品内蔵配線基体１０Ａ，１０Ｂ，１０Ｃが作成される。
【００１４】
（２）積層工程（図１，図２（ａ），図２（ｂ）参照）
図１に示すように、前工程で作成した単層の電子部品内蔵配線基体１０Ａ，１０Ｂの金属柱３の端面３ａに導電性接着剤５をディスペンサーにより塗布し、３枚の単層の電子部品内蔵配線基体１０Ａ，１０Ｂ，１０Ｃを、位置を合わせて重ね合わせる。
その際、電子部品内蔵配線基体１０Ａ，１０Ｂのそれぞれの金属柱３の端面３ａは、それぞれに積層する電子部品内蔵配線基体１０Ｂ，１０Ｃの下側面に前述のように設けたパッド７ｂと接合して層間の電気的な接続を行う（図２（ｂ）参照）。図２（ｂ）は、端面３ａとパッド７ｂとの接合状態を説明する金属柱３部分の断面図である。
【００１５】
各層の電子部品内蔵配線基体１０Ａ，１０Ｂ，１０Ｃの固定は、この導電性接着剤５のみによるものでもよいが、信頼性をより向上させるために、積層する層１０ＡＡ，１０ＢＡ面の端面３ａ以外の部分感圧性接着剤５Ａを塗布しておき、厚さ方向の両側から内蔵部品等に影響を与えない適切な圧力を付加して圧着することが望ましい。
この積層工程により、図２（ａ）に示すような多層の電子部品内蔵多層プリント基板１００を得る。
【００１６】
本実施例においては、最上層の電子部品内蔵配線基体１０Ｃにも金属柱３を具備しているので、別工程で基板を電子部品内蔵配線基体１０Ｃ上にさらに積層したり、その表面１００Ａに、後述する次工程にて設けたパターンと電気的に接合することができる。もちろん、最上層に金属柱３を必ずしも設ける必要はなく、回路構成によって適宜選択できる。
【００１７】
（３）表面処理工程
前積層工程により作成した多層の電子部品内蔵多層プリント基板１００の表面１００Ａ上にさらにパターンを形成したり、ソルダレジストやプリフラックス層を形成する等、所望の表面処理を施して電子部品内蔵多層プリント基板１００は完成する。
【００１８】
以上の説明においては、すべての層に電子部品内蔵多層プリント基板を使用する構成を説明したが、層の一部を、電子部品を内蔵しない所謂シールド板を使用した構成の電子部品内蔵多層プリント基板１０１としてもよい。
この例を図５，図６に示す。この例においては、単層の電子部品内蔵配線基体１０Ａと１０Ｂ間にシールド板１１を、感圧性接着剤５Ａを挟んで圧着積層する構成としており、シールド板の下面の金属柱３の端面３ａと接合する部分にはパッド７ａが設けられて電子部品内蔵配線基体１０Ａとの間の電気的接続を行う構成とされる。このシールド板１１を使用する層と使用する枚数は自由に設定することができる。
電子部品内蔵配線基体を、少なくとも２層以上積層した積層配線基体を有して電子部品内蔵多層プリント基板が構成されていればよい。
【００１９】
以上詳述した構成においては、複層に形成した電子部品内蔵多層プリント基板の単層である電子部品内蔵配線基体が独立して作成されるので、例えば、電気的な機能毎に各層を構成してモジュール化しておけば、その組み合わせによって所定の仕様の多層基板を効率良く作成することができる。また、単層で製造が行えるので、歩留まりが良く、不良の発生を極めて低くすることができる。
また、本発明の実施例は、上述した構成に限定されるものではなく本発明の要旨を逸脱しない範囲において変更が可能である。
【００２０】
【発明の効果】
以上詳述したように、本願発明の電子部品内蔵多層プリント基板及びその製造方法によれば、信頼性や品質に優れ生産性が良いという効果が得られる。
【図面の簡単な説明】
【図１】本発明の電子部品内蔵多層プリント基板の実施例における構造を示す概略斜視図である。
【図２】本発明の電子部品内蔵多層プリント基板の実施例を示す側面図及び断面図である。
【図３】本発明の電子部品内蔵多層プリント基板の実施例における製造工程を説明する斜視図及び断面図である。
【図４】本発明の電子部品内蔵多層プリント基板の実施例における製造工程を説明する概略斜視図である。
【図５】本発明の電子部品内蔵多層プリント基板のその他の実施例における構造を示す概略斜視図である。
【図６】本発明の電子部品内蔵多層プリント基板のその他の実施例を示す側面図である。
【符号の説明】
１　シート
１ａ，１ｂ　絶縁性フィルム
２　電子部品
３　金属柱
３ａ　端面
４　熱硬化型絶縁性インク
５　導電性接着剤
５Ａ　感圧性接着剤
６　絶縁層
７　配線パターン
７ａ，７ｂ　パッド
１０Ａ，１０Ｂ，１０Ｃ　電子部品内蔵配線基体
１１　シールド板
１００，１０１　電子部品内蔵多層プリント基板
【図１】
2004031476.tif 000003
【図２】
2004031476.tif 000004
【図３】
2004031476.tif 000005
【図４】
2004031476.tif 000006
【図５】
2004031476.tif 000007
【図６】
2004031476.tif 000008